(57)【要約】      （修正有）【課題】オレフィンメタセシスの選択的触媒の提供。【解決手段】2011001367.tif 000022を有するルテニウム錯体、そしてまた２個又はそれ以上の炭素原子を有する非環式オレフィン又は／及び３個又はそれ以上の炭素原子を有する環式オレフィンの製造方法並びにオレフィンメタセシスにおける式Ｉの少なくとも１種の錯体の使用に関する。【選択図】図１
2011001367.tif 000002
【特許請求の範囲】
【請求項１】
次の構造式Ｉ：
【化１】
2011001367.tif 000016
［式中、Ｘはアニオン配位子であり、
Ｚは、金属を含有しそしてルテニウム中心に非イオン的に結合する単座ないし三座配位子であり、
Ｚは、Ｌ’nＭＸ’m（式中、ｎは０〜４であり、ｍは０〜６でありそしてｍ＋ｎは零でなく、そしてＬ’は、同一であるか又は異なりそしてシクロペンタジエニル、ペンタメチルシクロペンタジエニル又はさもなければ置換シクロペンタジエニル基、ベンゼン、置換ベンゼン及びホスフィンの中から選択され、Ｘ’は同一又は異なりそしてハライドから選択され、そしてＭは、オスミウム、ロジウム、イリジウム、ルテニウムの中から選択され、
Ｒ1及びＲ2は、同一であるか又は異なっておりそして環を形成することもでき、Ｒ1及びＲ2は各々水素又は／及び炭化水素基であり、ここでその炭化水素基は同一であるか又は異なっていてもよくそして各々１〜５０個の炭素原子を有するアルキル基、２〜５０個の炭素原子を有するアルケニル基、２〜５０個の炭素原子を有するアルキニル基、６〜３０個の炭素原子を有するアリール基及びシリル基から選択される直鎖もしくは分岐又は／及び環式の基であってよく、ここで炭化水素基又は／及びシリル基中の１個又はそれ以上の水素原子は、同一の又は独立に異なるアルキル、アリール、アルケニル、アルキニル、メタロセニル、ハロゲン、ニトロ、ニトロソ、ヒドロキシ、アルコキシ、アリールオキシ、アミノ、アミド、カルボキシル、カルボニル、チオ又は／及びスルホニル基により置換されていてもよく、
配位子Ｌは、下記式ＩＩ−Ｖ：
【化２】
2011001367.tif 000017
（ここで、式ＩＩ、ＩＩＩ、ＩＶ及びＶ中のＲ1、Ｒ2、Ｒ3及びＲ4は、同一であるか又は異なっておりそして各々水素又は／及び炭化水素基であり、ここでその炭化水素基は同一であるか又は異なっておりそして１〜５０個の炭素原子を有するアルキル基、２〜５０個の炭素原子を有するアルケニル基、２〜５０個の炭素原子を有するアルキニル基、６〜３０個の炭素原子を有するアリール基から成る群から選択される独立に環式の、直鎖又は／及び分岐の基であり、ここにおいて少なくとも１個の水素は官能基により置換されていてもよく、そしてここでＲ3及びＲ4は、同一であるか又は異なっていてもよくそして各々独立にハロゲン、ニトロ、ニトロソ、アルコキシ、アリールオキシ、アミド、カルボキシル、カルボニル、チオ又は／及びスルホニル基であってよい）の１つを有するＮ−複素環式カルベンである］
を有するルテニウム錯体。
【請求項２】
アニオン配位子Ｘが、ハライド、擬ハライド、テトラフェニルボレート、過ハロゲン化テトラフェニルボレート、テトラハロボレート、ヘキサハロホスフェート、ヘキサハロアンチモネート、トリハロメタンスルホネート、アルコキシド、チオレート、カルボキシレート、テトラハロアルミネート、テトラカルボニルコバルテート、ヘキサハロフェレート（ＩＩＩ）、テトラハロフェレート（ＩＩＩ）及びテトラハロパラデート（ＩＩ）から成る群から選択される請求項１記載の錯体。 
【請求項３】
下記式の構造を有する請求項１又は２記載の錯体。
【化３】
2011001367.tif 000018
【請求項４】
下記式の構造を有する請求項１又は２記載の錯体。
【化４】
2011001367.tif 000019
【請求項５】
下記式の構造を有する請求項１又は２記載の錯体。
【化５】
2011001367.tif 000020
【請求項６】
少なくとも１種の触媒の存在下、オレフィンメタセシス反応により、各々の場合において式ＶＩに対応する２個又はそれ以上の炭素原子を有する非環式オレフィンから、又は／及び３個又はそれ以上の炭素原子を有する環式オレフィンから、
式ＶＩに対応する２個又はそれ以上の炭素原子を有する非環式オレフィン、又は／及び３個又はそれ以上の炭素原子を有する環式オレフィンを製造する方法であって、
【化６】
2011001367.tif 000021
請求項１〜５のいずれか１項に記載の触媒を用い、そして式ＶＩ中のＲ'1、Ｒ'2、Ｒ'3及びＲ'4は、水素又は／及び炭化水素基であり、ここで炭化水素基は同一であるか又は異なっておりそして１〜５０個の炭素原子を有するアルキル基、２〜５０個の炭素原子を有するアルケニル基、２〜５０個の炭素原子を有するアルキニル基、６〜３０個の炭素原子を有するアリール基、所望により少なくとも１個の水素が官能基により置換されているメタロセニル又は／及びシリル基から独立に選択される直鎖の、分岐又は／及び環式の基であり、そして所望により、Ｒ'1、Ｒ'2、Ｒ'3及びＲ'4の１種又はそれ以上は、同一であるか又は異なるハロ、ニトロ、ニトロソ、ヒドロキシ、アルコキシ、アリールオキシ、アミノ、アミド、カルボキシル、カルボニル、チオ、スルホニル又は／及びメタロセニル基である、
前記製造方法。
【請求項７】
式ＶＩのオレフィン中のＲ'1、Ｒ'2、Ｒ'3及びＲ'4が、独立にかつペアを組んで環を形成する請求項６記載の製造方法。
【請求項８】
式ＶＩのオレフィンにおいて、炭化水素基Ｒ'1、Ｒ'2、Ｒ'3及びＲ'4中の水素の幾つか又は全てが１種又はそれ以上の、同一の又は独立に異なるハロ、シリル、ニトロ、ニトロソ、ヒドロキシ、アルコキシ、アリールオキシ、アミノ、アミド、カルボキシル、カルボニル、チオ、スルホニル又は／及びメタロセニル基により置換されていてもよい、請求項６又は７に記載の製造方法。
【請求項９】
オレフィンメタセシスにおける請求項１〜８のいずれか１項に記載の錯体の使用。
【発明の詳細な説明】
【技術分野】
【０００１】
本発明は、Ｎ−複素環式カルベン配位子を含むルテニウムのホモバイメタル（homobimetallic）及びヘテロバイメタル（heterobimetallic）アルキリデン錯体並びに２個又はそれ以上の炭素原子を有する非環式オレフィンから又は／及び３個又はそれ以上の炭素原子を有する環式オレフィンからオレフィンメタセシスによりオレフィンの製造方法に関し、その方法においてこれらのバイメタルアルキリデン錯体の少なくとも１種を触媒として用いる。
【従来の技術】
【０００２】
遷移金属を触媒にしたＣ−Ｃ結合の形成は、有機合成化学の最も重要な反応の内のものである。オレフィンメタセシスは、そのような反応の重要の例である；何故ならば、それは副生物のないオレフィンの製造を可能にするからである。オレフィンメタセシスは、例えば閉環メタセシス（ＲＣＭ）、エテノリシス又は非環式オレフィンのメタセシスに対する、調製、有機合成の分野において非常に可能性を有するのみならず、例えば開環メタセシス重合（ＲＯＭＰ）、非環式ジエンメタセシス（ＡＤＭＥＴ）又はアルキン重合に対して、高分子化学においても高い可能性を有する。
【０００３】
１９５０年代にそれが発見されて以来、多数の工業的プロセスが実現可能となってきている。それにもかかわらず、オレフィンメタセシスは、新規な触媒の開発の結果進歩してごく最近において幅広い適用可能な合成法を提供するようになった（参考文献として：J.C. Mol in:B.Cornils,W.A. Herrmann, Applied Homogeneous Catalysis with Organometallic Compounds, VCH, Weinheim, 1996, p.318-332; M. Schuser, S. Blechert, Angew. Chem. 1997, 109, 2124-2144; Angew. Chem. Int. Ed. Engl. 1997, 36, 2036-2056; R. H. Grubbs, S. Chang, Tetrahedron 1998, 54, 4413-4450を参照のこと）。
【０００４】
多数の基本的研究が、オレフィン間でアルキリデン単位の交換が起こるこの遷移金属触媒反応の理解に著しく寄与してきている。一般に受け入れられている機構は、活性種として金属−アルキリデン錯体を含む。これらは、オレフィンと反応して金属非シクロブタン中間体を形成し、そしてその中間体は環への逆戻り（cycloreversion）を受けて再びオレフィンとアルキリデン錯体を生ずる。メタセシス−活性アルキリデン及び金属非シクロブタン錯体の単離は、これらの機構の仮定を支持する。
【０００５】
多数の例が、特にモリブデン及びタングステンの錯体化学において見出される。特に、Schrockの研究は、反応性が制御できる明確なアルキリデン錯体を明らかにした（J. S. Murdzek, R. R. Schrock, Organometallics 1987, 6, 1373-1374）。これらの錯体へのキラル配位子圏（ligand sphere）の導入は、高い立体規則性を有するポリマーの合成を可能にする（K. M. Totland, T. J. Boyd, G. C. Lavoie, W.M. Davis, R. R. Schrock, Macromolecules 1996, 29, 6114-6125）。同じ構造タイプのキラル錯体は、また閉環メタセシスにおいてうまく用いられた（O. Fujimura, F. J. d. l. Mata, R H. Grubbs, Organometallics 1996, 15, 1865-1871; J. B. Alexander, D. S. La, D. R. Cefalo, A.H. Hoveyda, R.
R. Schrock, J. Am. Chem. Soc. 1998, 120, 4041-4042）。しかしながら、官能基、空気及び水に対する高い感受性が、欠点である。
【０００６】
最近、ルテニウムのホスフィン含有錯体が、確立された（R. H. Grubbs, S. T. Nguyen, L. K. Johnson, M. A. Hillmyer, G. C. Fu, WO 96/04289, 1994; P.
Schwab, M. B. France, J. W. Ziller, R. H. Grubbs, Angew. Chem., 1995, 107, 2179-2181; Angew. Chem. Int. Ed.  Engl. 1995, 34, 2039-2041; R. H. Grubbs, E. L. Dias, Organometallics, 1998, 17 2758）。後者の遷移金属の電子過剰の、“ソフト（soft）”性のために、これらの錯体は、ハード（hard）な官能基に対して高い許容性（high tolerance）を持つ。このことは、例えば、天然物化学におけるそれらの使用により実証される（ジエンのＲＣＭ）（Z. Yang,
Y. He, D. Vourloumis, H. Vallberg, K. C. Nicolaou, Angew. Chem. 1997, 109, 170-172; Angew. Chem., Int. Ed. Engl. 1997, 36, 166-168; D. Meng, P.
Bertinato, A. Balog, D. S. Su, T. Kamenecka, E. J. Sorensen, S. J. Danishefsky, J. Am. Chem. Soc. 1997, 119, 2733-2734; D. Schizer, A. Limberg,
A. Bauer, O. M. Boehm, M. Cordes, Angew. Chem. 1997, 109, 543-544; Angew. Chem., Int. Ed. Engl. 1997, 36, 523-524; A. Fuerstner, K. Langemann, J. Am. Chem. Soc. 1997, 119, 9130-9136）。
【０００７】
しかしながら、用いられるホスフィン配位子を変える機会は、立体的因子及び電子的因子のために非常に制限されている。トリシクロヘキシルホスフィン、トリイソプロピルホスフィン及びトリシクロペンチルホスフィンのようなただ単に強塩基の、嵩高いアルキルホスフィンは、非環式オレフィン及び比較的ひずみのない環系のメタセシスに対して好適である。従って、これらの触媒の反応性は、調節できない。更に、この構造タイプのキラル錯体は、得ることができない。
【０００８】
本発明の発明者により以下の内容が既に明らかにされている；即ち、配位子としてＮ−複素環式カルベンの導入は、これらの系の活性を増加させるだけでなく、著しくより可変性の配位子圏のために、例えばキラリティ−、立体規則性又は活性の調節に関して、新規な制御の可能性を達成することを可能ならしめる（T.
Weskarmp, W. C. Schattenmann, M. Spiegler, W. A. Herrmann, Angew. chem.
1988, 110, 2631-2633; Angew. Chem. Int. Ed. Engl. 1998, 37, 2490-2493）。
【０００９】
しかしながら、それらが官能基に対して許容性を持つとき、全てのルテニウム系はモリブデン及びタングステンの活性よりも著しくより低い活性を今でもなお有している。
【発明の概要】
【００１０】
これらの理由のために、本発明の目的は、官能基に対して高い許容性及びより可変性の配位子圏を有するだけでなく、著しく増加した活性をも有する目的に合わせて製造されたメタセシス触媒を開発することにある。
【課題を解決するための手段】
【００１１】
この目的は、次の構造式Ｉ：
【００１２】
【化４】
2011001367.tif 000003
【００１３】
［式中、Ｘは、アニオン配位子であり、
Ｚは、金属を含有しそしてルテニウム中心に非イオン的に結合する単座ないし三座配位子であり、
Ｒ1及びＲ2は、同一であるか又は異なっておりそして環を形成することもでき、Ｒ1及びＲ2は各々水素又は／及び炭化水素基であり、ここでその炭化水素基は同一であるか又は異なっていてもよくそして各々１〜５０個の炭素原子を有するアルキル基、２〜５０個の炭素原子を有するアルケニル基、２〜５０個の炭素原子を有するアルキニル基、６〜３０個の炭素原子を有するアリール基及びシリル基から選択される直鎖のもしくは分岐又は／及び環式の基であってよく、ここで炭化水素基又は／及びシリル基中の１個又はそれ以上の水素原子は、同一の又は独立に異なるアルキル、アリール、アルケニル、アルキニル、メタロセニル、ハロゲン、ニトロ、ニトロソ、ヒドロキシ、アルコキシ、アリールオキシ、アミノ、アミド、カルボキシル、カルボニル、チオ又は／及びスルホニル基により置換されていてもよく、
配位子Ｌは、下記式ＩＩ−Ｖ：
【００１４】
【化５】
2011001367.tif 000004
【００１５】
（ここで、式ＩＩ、ＩＩＩ、ＩＶ及びＶ中のＲ1、Ｒ2、Ｒ3及びＲ4は、同一であるか又は異なっておりそして各々水素又は／及び炭化水素基であり、ここでその炭化水素基は同一であるか又は異なっておりそして１〜５０個の炭素原子を有するアルキル基、２〜５０個の炭素原子を有するアルケニル基、２〜５０個の炭素原子を有するアルキニル基、６〜３０個の炭素原子を有するアリール基から成る群から選択される独立に環式の、直鎖又は／及び分岐の基であり、ここにおいて少なくとも１個の水素は官能基により置換されていてもよく、そしてここでＲ3及びＲ4は、同一であるか又は異なっていてもよくそして各々独立にハロゲン、ニトロ、ニトロソ、アルコキシ、アリールオキシ、アミド、カルボキシル、カルボニル、チオ，シリル又は／及びスルホニル基であってよい）で表されるものを有するＮ−複素環式カルベンである］
を有するルテニウム錯体により本発明に従って達成される。
【００１６】
本発明に係る構造を有しそして二座ないし三座配位子Ｚと組み合わせたＮ−複素環式カルベン配位子を含有するアルキリデン錯体は、オレフィンメタセシスに対して高度に活性な触媒である。それらは、特に安価である。本発明に係る触媒を用いるオレフィンメタセシスは、多様の官能基に対して高い許容性及び配位子圏の変化に対して多くの可能性を示すばかりでなく、特に高い活性も示す。
【００１７】
Ｎ−複素環式カルベン配位子Ｌを簡易に製造しうるバリエイションのために、目的とする方法で活性及び選択性を制御可能となり、更に加えてキラリティーを簡単な方法で導入できる。従って、式ＩＩ、ＩＩＩ、ＩＶ及びＶ中において、炭化水素基Ｒ1、Ｒ2、Ｒ3及びＲ4中の幾つかの又は全ての水素は、同一の又は独立に異なるハロゲン原子、特に塩素、臭素もしくは沃素、又は／及びニトロ、ニトロソ、ヒドロキシ、アリールオキシ、アミノ、アミド、カルボキシル、カルボニル、チオ、スルホニル、又は／及びメタロセニル基により置換できる。
【００１８】
置換基Ｒ1、Ｒ2、Ｒ3及びＲ4としての官能基の例は、ヒドロキシメチル、２−ヒドロキシエチル、３−ヒドロキシプロピル、アミノメチル、２−アミノエチル、３−アミノプロピル、２−アセチルエチルアミノエチル、エトキシエチル、ポリエーテル、エトキシアセチル、メトキシカルボニルエチル、エトキシカルボニルエチル、カリウムカルボキシラートメチル及びイソプロピルアミノカルボニルメチルである。
【００１９】
Ｒ1及びＲ2は、例えばメチル、エチル、イソプロピル、シクロプロピル、シクロヘキシル、１−フェニルエチル、１−ナフチルエチル、１−tert−ブチルエチル、tert−ブチル、フェニル（これらの基は、ニトロ、アミノ、ヒドロキシ又は／及びカルボキシル基により置換されていてもよい）、メシチル、トリル及びナフチル基の中から選択できる。もしもそれらが、キラルである場合、基はまた（Ｒ）及び（Ｓ）形で存在できる。
【００２０】
Ｒ3及びＲ4の例は、水素、メチル、エチル及びフェニル（これらの基は、所望によりニトロ、アミノ、ヒドロキシ又は／及びカルボキシル基により置換される）である。これらの式中のＲ3及びＲ4は、縮合環系も形成できる。
【００２１】
式ＩＩ、ＩＩＩ、ＩＶ又は／及びＶの配位子Ｌは、中心性、軸性又は／及び面性キラリティーを有することができる。
【００２２】
式Ｉにおいて、Ｚは、単座ないし三座配位子Ｌ’nＭＸ’m（式中、ｎは０〜４であり、ｍは０〜６でありそしてｍ＋ｎは零でなく、そしてＬ’は、同一であるか又は異なることができそしてπ結合した、不飽和の炭素環式炭化水素及び非荷電電子供与体から選択され、Ｘ’は同一又は異なることができそして各々ハライド、擬ハライド、テトラフェニルボレート、過ハロゲン化テトラフェニルボレート、テトラハロボレート、ヘキサハロホスフェート、ヘキサハロアンチモネート、トリハロメタンスルホネ−ト、アルコキシド、チオレート、カルボキシレート、テトラハロアルミネート、テトラカルボニルコバルテート、ヘキサハロフェレート（ＩＩＩ）、テトラハロフェレート（ＩＩＩ）又は／及びテトラハロパラデート（ＩＩ）から成る群から選択されるアニオン配位子でありそしてＭは、金属である。
【００２３】
Ｌ’の好ましい例は、シクロペンタジエニル、ペンタメチルシクロペンタジエニル又はさもなければ置換シクロペンタジエニル基、ベンゼン及び置換ベンゼン、例えばシメン、そして又ホスフィン、ホスファイト、アミン、イミン、ニトリル、Ｎ−複素環式カルベン及びカルボニルである。
【００２４】
Ｘ’の好ましい例は、ハライド、特にクロリド、ブロミド又はヨード、擬ハライド、アルコキシド、チオレート、アミド及びカルボキシレートである。もしも、ハライドが前記化合物の１つにおける置換基である場合、クロリドが好ましい。
【００２５】
金属Ｍは、遷移族ＩないしＶＩＩＩ及び主族ＩないしＩＶの金属、特に遷移族Ｉ、ＩＩ、ＶＩ、ＶＩＩ及びＶＩＩＩ並びに主族ＩないしＩＶの金属の中から選択でき、特に遷移族ＶＩＩＩの金属が好ましい。好ましい例は、遷移族ＶＩＩＩに対してＯｓ、Ｒｕ、Ｉｒ、Ｒｈ、Ｆｅ及びＰｄであり、遷移族ＶＩＩに対してＲｅであり、遷移族ＶＩに対してＭｏ及びＷであり、そして主族ＩＩＩ及びＩＶに対してＢ、Ａｌ及びＳｉである。
【００２６】
本発明の錯体中のアニオン配位子Ｘは、好ましくはハライド、擬ハライド、テトラフェニルボレート、過ハロゲン化テトラフェニルボレート、テトラハロボレート、ヘキサハロホスフェート、ヘキサハロアンチモネート、トリハロメタンスルホネート、アルコキシド、フェノキシド、チオレート、カルボキシレート、テトラハロアルミネート、テトラカルボニルコバルテート、ヘキサハロフェレート（ＩＩＩ）、テトラハロフェレート（ＩＩＩ）、又は／及びテトラハロパラデート（ＩＩ）であり、ハライド、擬ハライド、テトラフェニルボレート、過フッ化テトラフェニルボレート、テトラフルオロボレート、ヘキサフルオロホスフェート、ヘキサフルオロアンチモネート、トリフルオロメタンスルホネート、アルコキシド、フェノキシド、カルボキシレート、テトラクロロアルミネート、テトラカルボニルコバルテート、ヘキサフルオロフェレート（ＩＩＩ）、テトラクロロフェレート（ＩＩＩ）又は／及びテトラクロロパラデート（ＩＩ）が好ましい。擬ハライドの中で、シアニド、チオシアネート、シアネート、イソシアネート及びイソチオシアネートが好ましく、ハライドの中でクロリド、ブロミド又はヨードを用いるのが好ましい。
【００２７】
式ＩないしＶＩ中のアルキル基、アルケニル基、アルキニル基又はアルキレン基、アルケニレン基、アルキニレン基は、１又は２〜２０個の炭素原子、特に好ましくは１又は２〜１２個の炭素原子を有する。
【００２８】
錯体の構造式Ｉにおいて、Ｒ1ないしＲ2は、好ましくは水素、置換又は／及び未置換アルキル、アルケニル又は／及びアリール基であり、Ｘは好ましくはハライド、アルコキシド又は／及びカルボキシレートイオンでありそしてＬは、好ましくは式ＩＩのＮ−複素環式カルベンである。
【００２９】
錯体は、通常対応するホスフィン錯体中の配位子置換により合成される。これらは、反応式に対応して、第１の工程において選択的にモノ置換されるか又はさもなければジ置換されることができそして引き続き第２の工程でＺの適当なダイマーと反応して本発明の錯体を与える：
【００３０】
【化６】
2011001367.tif 000005
【００３１】
本発明の錯体は、オレフィンメタセシスにおいて極めて有効な触媒であることが見出されている。非常によいメタセシス活性は、実施例における種々のメタセシス反応の多数の例により実証される。
【００３２】
従って、本発明は、開環メタセシス重合（ＲＯＭＰ）、非環式オレフィンのメタセシス、エタノリシス、閉環メタセシス（ＲＣＭ）、非環式ジエンメタセシス重合（ＡＤＭＥＴ）及びオレフィンポリマーの解重合のような全てのオレフィンメタセシス反応のプロセスも包含する。官能基、特にアルコール、アミン、チオール、ケトン、アルデヒド、カルボン酸、エステル、アミド、エーテル、シラン、スルフィド及びハロゲンの基に対する本発明の錯体の高い安定性及び許容性は、メタセシス反応中にそのような官能基の存在を可能にする。
【００３３】
本発明の目的は、また  少なくとも１種の前記錯体の存在下、オレフィンメタセシス反応により、各々の場合において式ＶＩに対応する２個又はそれ以上の炭素原子を有する非環式オレフィンから又は／及び３個又はそれ以上の炭素原子を有する環式オレフィンから、各々の場合において式ＶＩ：
【００３４】
【化７】
2011001367.tif 000006
【００３５】
に対応する２個又はそれ以上の炭素原子を有する非環式オレフィン又は／及び３個又はそれ以上の炭素原子を有する環式オレフィンを製造する方法によって達成され、そして式ＶＩ中のＲ'1、Ｒ'2、Ｒ'3及びＲ'4は、水素又は／及び炭化水素基であり、ここでその炭化水素基は同一であるか又は異なっており、そして所望により少なくとも１個の水素が官能基により置換されていてもよい、１〜５０個の炭素原子を有するアルキル基、２〜５０個の炭素原子を有するアルケニル基、２〜５０個の炭素原子を有するアルキニル基、６〜３０個の炭素原子を有するアリール基、メタロセニル又は／及びシリル基から独立に選択される直鎖の、分岐又は／及び環式の基であり、そして所望により、Ｒ'1、Ｒ'2、Ｒ'3及びＲ'4の１種又はそれ以上が、同一であるか又は異なるハロゲン、ニトロ、ニトロソ、ヒドロキシ、アルコキシ、アリールオキシ、アミノ、アミド、カルボキシル、カルボニル、チオ、スルホニル又は／及びメタロセニル基である。
【００３６】
使用され又は／及び製造されるべきオレフィンは、１個又はそれ以上の二重結合を有する。特に、式ＶＩのオレフィン中のＲ'1、Ｒ'2、Ｒ'3及びＲ'4は、ペアを組んで環を形成することができる。
【００３７】
式ＶＩのオレフィンにおいて、炭化水素基Ｒ'1、Ｒ'2、Ｒ'3及びＲ'4の幾つか又は全ての水素は、１種又はそれ以上の同一の又は独立に異なるハロ、シリル、ニトロ、ニトロソ、ヒドロキシ、アルコキシ、アリールオキシ、アミノ、アミド、カルボキシル、カルボニル、チオ、スルホニル又は/及びメタロセニル基により置換できる。
【００３８】
Ｒ'1、Ｒ'2、Ｒ'3及びＲ'4の例及び水素の代わりの置換基の例は、式ＩないしＶに関して前記したものと同じである。
【００３９】
本発明の方法は、溶媒と共に又は溶媒なしで行うことができるが、しかし好ましくは有機溶媒を用いる。本発明の方法は、ブレンステッド酸、好ましくは、ＨＣｌ、ＨＢｒ、ＨＩ、ＨＢＦ4、ＨＰＦ6又は／及びトリフルオロ酢酸を添加して、ルイス酸、好ましくはＢＦ3、ＡｌＣｌ3、又は／及びＺｎＣｌ2を添加して行うことができる。
【００４０】
驚くべきことに、このことにより初めて以下の内容が可能となる；即ち、高い触媒活性で、触媒条件又は／及び触媒の簡易なバリエイションにより、種々の性質を有するように個々に目的に合わせて製造された多様のオレフィンを得ることができる；このことは特にオレフィンを製造するための本発明の方法が、意外なことに官能基に対して高い許容性を有しているからである。
【実施例】
【００４１】
次の実施例は、本発明を説明するものであるが、その範囲を制限するものではない。
【００４２】
１）本発明の錯体の製造
一般的手順：
１ｍｍｏｌのＲｕＣｌ2（ジ−Ｒ−イミダゾリン−２−イリデン）2（ＣＨＰｈ）又はＲｕＣｌ2（ジ−Ｒ−イミダゾリン−２−イリデン）（ＰＣｙ3）（ＣＨＰｈ）（式中、Ｒはあらゆる基である）を、５ｍｌの塩化メチレンに溶解し次いで５ｍｌの塩化メチレンに溶解した１ｍｍｏｌの[Ｌ'ＭＸ'2]2の溶液と混合する。反応溶液を室温（ＲＴ）で約１５〜１８０分間撹拌し次いで溶媒を引き続き除去し、錯体をトルエン／ペンタン混合物で洗浄し次いで高真空下で多くの時間乾燥する。反応は、示した時間で定量的に進行する。
【００４３】
記載した一般的手順を用いて次の化合物を製造した：
（触媒１）
【００４４】
【化８】
2011001367.tif 000007
【００４５】
出発物質：ＲｕＣｌ2（ジ−シクロヘキシル−イミダゾリンー２−イリデン）（ＰＣｙ3）（ＣＨＰｈ）及び[（ｐ−シメン）ＲｕＣｌ2]2
反応時間：２時間
Ｃ32Ｈ44Ｃｌ4Ｎ2Ｒｕ2に対する元素分析：
計算値Ｃ４８．００；Ｈ５．５４；Ｎ３．５０
実測値Ｃ４８．１１；Ｈ５．６１；Ｎ３．５２。
1Ｈ ＮＭＲ（ＣＤ2Ｃｌ2／２５℃）：δ＝２１．１４（１Ｈ，ｓ，Ｒｕ＝ＣＨ），７．８９（２Ｈ，ｄ，3ＪHH＝７．８Ｈｚ，Ｃ6Ｈ5のｏ−Ｈ），７．６７（１Ｈ，ｔ，3ＪHH＝７．８Ｈｚ，Ｃ6Ｈ5のｐ−Ｈ）,７．２２（２Ｈ、ｔ、3ＪHH＝７．８Ｈｚ，Ｃ6Ｈ5のｍ−Ｈ），７．０９（１Ｈ，ｓ，ＮＣＨ），６．６５（１Ｈ，ｓ，ＮＣＨ），５．７０（１Ｈ，ｍ，ＮＣ6Ｈ11のＣＨ），５．５３，５．５０，５．４３及び５．２８（全て１Ｈ，ｄ，3ＪHH＝５．７Ｈｚ，ｐ−シメンのＣＨ）３．０５（１Ｈ，ｍ，ＮＣ6Ｈ11のＣＨ），２．８５（１Ｈ，ｍ，ｐ−シメンのＣＨ（ＣＨ3）2），２．３４（３Ｈ，ｓ，ｐ−シメンのＣＨ3），１．８２−０．９１（２０Ｈ，全てｍ，ＮＣ6Ｈ11のＣＨ2），１．４１（３Ｈ，ｄ，3ＪHH＝７．０Ｈｚ，ｐ−シメンのＣＨ（ＣＨ3）2），１．２７（３Ｈ，ｄ，3ＪHH＝７．０Ｈｚ，ｐ−シメンのＣＨ（ＣＨ3）2）。13Ｃ ＮＭＲ（ＣＤ2Ｃｌ2／２５℃）：δ＝３１９．４（Ｒｕ＝ＣＨ），１６５．２（ＮＣＮ），１５４．０（Ｃ6Ｈ5のｉｐｓｏ−Ｃ），１３１．４，１３０．７，及び１２８．７（Ｃ6Ｈ5のｏ−Ｃ，ｍ−Ｃ及びｐ−Ｃ），１１９．１及び１１８．０（ＮＣＨ），１０１．３，９６．８，８１．３，８０．６，７９．７及び７９．４（ｐ−シメン），５８．９及び５６．７（ＮＣ6Ｈ11のＣＨ），３６．０，３４．９，３１．３，２５．８，２５．４及び２２．３（ＮＣ6Ｈ11のＣＨ2），３０．８（ｐ−シメンのＣＨ（ＣＨ3）2），２２．２及び２１．９（ｐ−シメンのＣＨ（ＣＨ3）2），１８．８（ｐ−シメンのＣＨ3）。
【００４６】
（触媒２）
【００４７】
【化９】
2011001367.tif 000008
【００４８】
出発物質：ＲｕＣｌ2（ジ−シクロヘキシル−イミダゾリンー２−イリデン）2（ＣＨＰｈ）及び[（ｐ−シメン）ＯｓＣｌ2]2
反応時間：３時間
Ｃ32Ｈ44Ｃｌ4Ｎ2ＯｓＲｕに対する元素分析：
計算値Ｃ４３．１４；Ｈ４．９８；Ｎ３．１５
実測値Ｃ４３．３１；Ｈ５．１１；Ｎ３．１３。
1Ｈ ＮＭＲ（ＣＤ2Ｃｌ2／２５℃）：δ＝２１．２１（１Ｈ，ｓ，Ｒｕ＝ＣＨ），７．９１（２Ｈ，ｄ，3ＪHH＝６．４Ｈｚ，Ｃ6Ｈ5のｏ−Ｈ），７．７２（１Ｈ，ｔ，3ＪHH＝６．４Ｈｚ，Ｃ6Ｈ5のｐ−Ｈ），７．２４（２Ｈ、ｔ、3ＪHH＝６．４Ｈｚ，Ｃ6Ｈ5のｍ−Ｈ），７．０４（１Ｈ，ｓ，ＮＣＨ），６．６９（１Ｈ，ｓ，ＮＣＨ），５．７０（１Ｈ，ｍ，ＮＣ6Ｈ11のＣＨ），６．０８（１Ｈ，ｄ，3ＪHH＝５．９Ｈｚ，ｐ−シメンのＣＨ），５．９５（１Ｈ，ｄ，3ＪHH＝５．９Ｈｚ，ｐ−シメンのＣＨ），５．７５（２Ｈ，おおよそｔ，3ＪHH＝５．９Ｈｚ，ｐ−シメンのＣＨ），３．０７（１Ｈ，ｍ，ＮＣ6Ｈ11のＣＨ），２．８３（１Ｈ，ｍ，ｐ−シメンのＣＨ（ＣＨ3）2），２．３４（３Ｈ，ｓ，ｐ−シメンのＣＨ3），１．９０−０．８５（２０Ｈ，全てｍ，ＮＣ6Ｈ11のＣＨ2），１．３９（３Ｈ，ｄ，3ＪHH＝６．８Ｈｚ，ｐ−シメンのＣＨ（ＣＨ3）2），１．３３（３Ｈ，ｄ，3ＪHH＝６．８Ｈｚ，ｐ−シメンのＣＨ（ＣＨ3）2。13Ｃ ＮＭＲ（ＣＤ2Ｃｌ2／２５℃）：δ＝３１９．７（Ｒｕ＝ＣＨ），１６５．０（ＮＣＮ），１５３．９（Ｃ6Ｈ5のｉｐｓｏ−Ｃ），１３１．２，１３０．７，及び１２８．６（Ｃ6Ｈ5のｏ−Ｃ，ｍ−Ｃ，及びｐ−Ｃ）、１１９．３及び１１８．１（ＮＣＨ），９６．５，９１．５，７１．６，７１．４，７０．４及び６９．７（ｐ−シメン），５８．８及び５６．５（ＮＣ6Ｈ11のＣＨ），３５．８，３５．３，３１．２，２５．９，２５．２及び２２．７（ＮＣ6Ｈ11のＣＨ2），３１．２（ｐ−シメンのＣＨ（ＣＨ3）2），２２．２及び２２．１（ｐ−シメンのＣＨ（ＣＨ3）2），１８．７（ｐ−シメンのＣＨ3）。
【００４９】
（触媒３）
【００５０】
【化１０】
2011001367.tif 000009
【００５１】
出発物質：ＲｕＣｌ2（ジ−シクロヘキシル−イミダゾリンー２−イリデン）2（ＣＨＰｈ）及び[Ｃｐ*ＲｕＣｌ2]2
反応時間：１５分
Ｃ45Ｈ46Ｃｌ2Ｎ4ＲｈＲｕに対する元素分析：
計算値Ｃ４７．８８；Ｈ５．６５；Ｎ３．４９
実測値Ｃ４７．９９；Ｈ５．７０；Ｎ３．４５。
1Ｈ ＮＭＲ（ＣＤ2Ｃｌ2／２５℃）：δ＝２１．２０（１Ｈ，ｓ，Ｒｕ＝ＣＨ），７．９５（２Ｈ，ｄ，3ＪHH＝７．２Ｈｚ，Ｃ6Ｈ5のｏ−Ｈ），７．６７（１Ｈ，ｔ，3ＪHH＝７．２Ｈｚ，Ｃ6Ｈ5のｐ−Ｈ），７．２５（２Ｈ，ｔ，3ＪHH＝７．８Ｈｚ，Ｃ6Ｈ5のｍ−Ｈ），７．０９（１Ｈ，ｓ，ＮＣＨ），６．６８（１Ｈ，ｓ，ＮＣＨ），６．５７（１Ｈ，ｍ，ＮＣ6Ｈ11のＣＨ），２．９７（１Ｈ，ｍ，ＮＣ6Ｈ11のＣＨ），１．８５−０．８６（２０Ｈ，全てｍ，ＮＣ6Ｈ11のＣＨ2），１．７４（１５Ｈ，ｓ，Ｃｐ*のＣＨ3）。13Ｃ ＮＭＲ（ＣＤ2Ｃｌ2／２５℃）：δ＝３１９．３（Ｒｕ＝ＣＨ），１６４．４（ＮＣＮ），１５３．５（Ｃ6Ｈ5のｉｐｓｏ−Ｃ），１３１．２，１３０．４，及び１２８．７（Ｃ6Ｈ5のｏ−Ｃ，ｍ−Ｃ，ｐ−Ｃ），１１８．９及び１１８．３（ＮＣＨ），９４．３（ｄ，ＪRhC＝７．５Ｈｚ，Ｃｐ*のＣＣＨ3）５８．３及び５６．４（ＮＣ6Ｈ11のＣＨ），３５．２，３４．１，３３．３，２５．８，２２．４，２１．２（ＮＣ6Ｈ11のＣＨ2），９．３１（Ｃｐ*のＣＨ3）。
【００５２】
２−４）オレフィンメタセシスにおける本発明の錯体の使用
下記に記載した実施例は、オレフィンメタセシスにおける本発明の錯体の可能性を実証する。既知のホスフィン含有系に比較した新規な錯体の利点は、特に開環メタセシス重合におけるそれらの著しく増加した活性にある。その結果、単に困難性を伴ってメタセシス反応を受けるオレフィンであるとしても、メタセシス反応において反応できる。
【００５３】
２）開環メタセシス重合
ノルボルネン、官能化ノルボルネン、１，５−シクロオクタジエン及びシクロペンテンは、実施例として役立つ。
【００５４】
２ａ）ノルボルネンの開環メタセシス重合
活性を実証するために、ノルボルネンを開環メタセシス重合に委ねた。
典型的反応バッチ：
フラスコ中で、１．０μｍｏｌの各々の錯体を３０ｍｌの塩化メチレンに溶解する。２０．０ｍｍｏｌのノルボルネンを添加して反応を開始し次いで反応液を５００ｍｌのメタノール中に注加することにより特定時間後に停止する（ポリノルボルネンの沈殿が形成した）。沈殿したポリノルボルネンを、濾過により単離し、次いで塩化メチレン／メタノール又はトルエン／メタノールから繰り返し再沈殿した後、高真空下で一定重量まで乾燥する。重量を測定して収率を求める。
【００５５】
触媒、反応時間、収率及び代謝回転頻度（turnover frequence、ＴＯＦ）を表１に示す。
【００５６】
【表１】
2011001367.tif 000010
【００５７】
２ｂ）官能化ノルボルネン誘導体の開環メタセシス重合
活性及び官能基に対する許容性を実証するために、５−ノルボルネンー２−イルアセテートを開環メタセシス重合に委ねた。
典型的な反応バッチ：
フラスコ中で、１．０μｍｏｌの各々の錯体を２ｍｌの塩化メチレンに溶解する。５．０ｍｍｏｌの５−ノルボルネンー２−イルアセテートを添加して反応を開始し次いで反応液を５００ｍｌのメタノール中に注加することにより特定時間後に停止する（ポリノルボルネンの沈殿が形成した）。沈殿したポリノルボルネンを、濾過により単離し、次いで塩化メチレン／メタノール又はトルエン／メタノールから繰り返し再沈殿した後、高真空下で一定重量まで乾燥する。重量を測定して収率を求める。
【００５８】
触媒、反応時間、収率及びＴＯＦを表２に示す。
【００５９】
【表２】
2011001367.tif 000011
【００６０】
２ｃ）１，５−シクロオクタジエンの開環メタセシス重合
本発明の錯体の活性を実証するために、１，５−シクロオクタジエンの開環メタセシス重合の動力学を、ＮＭＲ分光法によりモニターした。ノルボルネンに比較してその著しく小さな環の歪みのために、１，５−シクロオクタジエンは、著しく重合の困難な基質である。
典型的な反応バッチ：
１．８μｍｏｌの本発明の各々の錯体を、ＮＭＲ管に入れ次いで０．５５ｍｌのＣＤ2Ｃｌ2（あるいは、標準液を用いる）に溶解する。引き続き、重合反応を、５５μｌの１，５−シクロオクタジエン（モノマー：触媒＝２５０：１）を添加することにより開始する。反応の過程を、1Ｈ−ＮＭＲスペクトルを記録することにより追跡する。生成物（ポリシクロオクタジエン）及び出発物質（シクロオクタジエン）の時間依存性シグナルの統合により、図１に示すようなポリシクロオクタジエンの時間依存性収率及び表３に報告するような代謝回転頻度（ＴＯＦ）を得る。
【００６１】
【表３】
2011001367.tif 000012
【００６２】
ここで達成されたＴＯＦは、既知の系のそれよりも著しくより大きい。従って、類似のホスフィン系（これは、同時に文献から既知の最も活性なルテニウムをベースとする系である）は、同じ条件下で２００ｈ-1から最大１０００ｈ-1までのＴＯＦを示す。
【００６３】
２ｄ）シクロペンテンの開環メタセシス重合
１，５−シクロオクタジエンと同様に、シクロペンテンは、極めて重合が困難な基質である。
典型的な実験バッチ：
フラスコ中で、１．０μｍｏｌの各々の錯体を１ｍｌの塩化メチレンに溶解する。５．０ｍｍｏｌのシクロペンテンを添加して反応を開始し次いで反応液を５００ｍｌのメタノール中に注加することにより特定時間後に停止する（ポリシクロペンテンの沈殿が形成した）。沈殿したポリシクロペンテンを、濾過により単離し、次いで塩化メチレン／メタノール又はトルエン／メタノールから繰り返し再沈殿した後、高真空下で一定重量まで乾燥する。重量を測定して収率を求める。結果を、表４に要約する。
【００６４】
【表４】
2011001367.tif 000013
【００６５】
３）閉環メタセシス
閉環メタセシスにおける本発明の錯体の可能性を、エチレンを放出してシクロヘキセンを形成するための１，７−オクタジエンの反応により説明する（表５）典型的な反応バッチ：
６．３μｍｏｌの各々の錯体を２ｍｌの１，２−ジクロロエタンに溶解した溶液を、０．４５ｍｍｏｌの１，７−オクタジエンと混合した。６０℃で１０分後に、反応混合物をＧＣ／ＭＳにより分析した。
【００６６】
【表５】
2011001367.tif 000014
【００６７】
４）非環式オレフィンのメタセシス
非環式オレフィンのメタセシスにおける本発明の錯体の可能性を、エチレンを放出して７−テトラデセンを形成するための１−オクテンのホモメタセシスにより説明する（表６）。
典型的な反応バッチ：
６．０μｍｏｌの各々の錯体を１ｍｌの１，２−ジクロロエタンに溶解した溶液を、３．０ｍｍｏｌの１−オクテンと混合した。４５℃で３時間後に、反応混合物をＧＳ／ＭＳにより分析した。
【００６８】
【表６】
2011001367.tif 000015
【００６９】
本発明の錯体を用いた１，５−シクロオクタジエンのＲＯＭＰ：
◆錯体３；◆錯体１；及び●ＲｕＣｌ2（ＰＣｙ3）（ＣＨＰｈ）（P. Schwab,  
M. B. Frnce, J. W. Ziller, R. H. Grubbs, Angew. Chem., 1995, 107,2179  -2181; Angew. Chem. Int. Ed. Engl. 1995, 34, 2039-2041）
【図面の簡単な説明】
【００７０】
【図１】ポリシクロオクタジエンの時間と収率の相関図である。
【図１】
2011001367.tif 000023